(57)【要約】【課題】ガス化複合発電プラントの設置コストの低減と、ガス化複合発電プラントの運転時における信頼性の向上およびプラント効率の改善を図ることが可能なガスタービンおよびこれを備えたガス化複合発電プラントを提供することを目的とする。【解決手段】燃料ガスを燃焼するガスタービン燃焼器４ａと、ガスタービン燃焼器４ａから排出される排ガスによって回転駆動されるタービン４ｂと、タービン４ｂに接続される回転軸４ｄと、回転軸４ｄ上に設けられて回転軸４ｄが駆動されることによって空気を圧縮するガスタービン圧縮機４ｃと、を備え、ガスタービン圧縮機４ｃの圧縮過程の中間位置から空気の一部を抽気してガスタービン燃焼器４ａへと導き、残りの空気はガスタービン燃焼器４ａより高い圧力まで加圧されて抽出され、ガスタービン４の外部で冷却や再圧縮されることなくガス化炉３に供給されることを特徴とする。【選択図】図１
2011185240.tif 000002
【特許請求の範囲】
【請求項１】
燃料ガスを燃焼して燃焼ガスを発生するガスタービン燃焼器と、
該ガスタービン燃焼器により発生した燃焼ガスによって回転駆動されるタービンと、
該タービンに接続される回転軸と、
該回転軸上に設けられて該回転軸が駆動されることによって空気を圧縮するガスタービン圧縮機と、を備え、
該ガスタービン圧縮機の圧縮過程の中間位置から空気の一部を抽気してガスタービン燃焼器へと導くガスタービン。
【請求項２】
請求項１に記載のガスタービンと、
石炭をガス化して燃料ガスとするガス化炉と、
前記ガスタービンから排出された燃焼ガスと熱交換することによって蒸気を発生する蒸気発生装置と、
前記回転軸上に設けられて、前記蒸気発生装置により発生した蒸気によって回転駆動される蒸気タービンと、
前記回転軸に接続されて、前記ガスタービン又は前記蒸気タービン、あるいはその双方によって駆動されて発電するガスタービン用発電機と、を備え、
前記ガスタービン圧縮機の圧縮過程の最後まで圧縮された空気は、冷却や再圧縮されることなく前記ガス化炉に導かれるガス化複合発電プラント。
【請求項３】
前記ガスタービン圧縮機によって途中まで圧縮された空気と燃料ガスが燃焼して発生した燃焼ガスが導かれるパワータービンと、
該パワータービンに接続されるパワータービン用回転軸と、
該パワータービン用回転軸に接続されて該パワータービン用回転軸が駆動されることによって発電するパワータービン用発電機と、を備え、
前記パワータービンには、前記ガスタービン圧縮機が吐出する空気の余剰分が導かれる請求項２に記載のガス化複合発電プラント。
【発明の詳細な説明】
【技術分野】
【０００１】
本発明は、空気吹きガス化複合発電プラントに最適なガスタービンに関するものである。
【背景技術】
【０００２】
一般に、乾式給炭空気吹きの石炭ガス化複合発電プラントでは、ガスタービンに設けられているガスタービン圧縮機から抽出される圧縮空気をガス化炉へと供給している。ガス化炉に供給される圧縮空気がガス化炉で石炭と反応して生成ガスとなり、ガス精製設備を通過した後には、圧力損失によってガスタービン入口における圧力が不足する。そのため、ガスタービン圧縮機から抽出された圧縮空気は、昇圧機によって再圧縮されてガス化炉へと供給される(例えば、特許文献１から特許文献３)。
【０００３】
ガスタービン圧縮機によって圧縮空気は、高温となって吐出される。一方、昇圧機には、導入される空気の入口温度に制限があり、温度を低下させる必要がある。反面、昇圧機によって再圧縮された空気（以下「再圧縮空気」という。）が導かれるガス化炉は、供給される再圧縮空気の温度が高い方が好都合である。そこで、ガス化炉に供給される再圧縮空気の温度を上昇させ、かつ昇圧機に導く圧縮空気の温度を低下させるために、双方で熱交換を行なう再生熱交換器が設けられている。
【先行技術文献】
【特許文献】
【０００４】
【特許文献１】特開２０００−１８０４７号公報
【特許文献２】特開平４−３５８７０８号公報
【特許文献３】実開平１−１６４７４７号公報
【発明の概要】
【発明が解決しようとする課題】
【０００５】
しかしながら、特許文献１から特許文献３に記載の発明は、昇圧機、冷却器、再生熱交換器を設けるため、ガス化複合発電プラントの設置コストが高くなるという問題があった。また、設置する機器が増加するために、ガス化複合発電プラントの運転時における信頼性が低下するという問題があった。また、空気を冷却および再加熱する必要があるため、熱損失が発生してガス化複合発電プラントのプラント効率が低下するという問題があった。
【０００６】
本発明は、このような事情に鑑みてなされたものであって、ガス化複合発電プラントの設置コストの低減と、ガス化複合発電プラントの運転時における信頼性の向上およびプラント効率の改善を図ることが可能なガスタービンおよびこれを備えたガス化複合発電プラントを提供することを目的とする。
【課題を解決するための手段】
【０００７】
上記課題を解決するために、本発明のガスタービンおよびこれを備えたガス化複合発電プラントは、以下の手段を採用する。
すなわち、本発明に係るガスタービンによれば、燃料ガスを燃焼して燃焼ガスを発生するガスタービン燃焼器と、該ガスタービン燃焼器により発生した燃焼ガスによって回転駆動されるタービンと、該タービンに接続される回転軸と、該回転軸上に設けられて該回転軸が駆動されることによって空気を圧縮するガスタービン圧縮機と、を備え、該ガスタービン圧縮機の圧縮過程の中間位置から空気の一部を抽気して前記ガスタービン燃焼器へと導き、残りの空気はガスタービン圧縮機の最終段から吐出され、冷却や再圧縮されることなく直接ガス化炉へ導くことを特徴とする。
【０００８】
ガスタービン燃焼器には、ガスタービン圧縮機の圧縮過程の中間位置から一部抽気した空気を導くこととした。残りの空気は、ガスタービン圧縮機の残りの高圧段によって再圧縮される。そのため、ガスタービン圧縮機の最終段から導出される空気の吐出圧力を、ガスタービン燃焼器の圧力よりも高くすることができる。そのため、外部に設置した昇圧機等により再度昇圧することなくガス化炉へ供給しても、十分高圧の燃料ガスを発生することができ、圧力損失により圧力が減じてもなお、ガスタービン燃焼器に導入することが可能となる。
【０００９】
さらに、本発明に係るガス化複合発電プラントによれば、上記に記載のガスタービンと、石炭をガス化して燃料ガスとするガス化炉と、前記ガスタービンから排出された燃焼ガスと熱交換することによって蒸気を発生する蒸気発生装置と、前記蒸気発生装置により発生した蒸気によって回転駆動される蒸気タービンと、前記ガスタービン又は前記蒸気タービン、あるいはその双方によって駆動されて発電する発電機と、を備え、前記ガスタービン圧縮機の圧縮過程の最後まで圧縮された空気は、冷却や再圧縮されることなく前記ガス化炉に導かれることを特徴とする。
【００１０】
ガス化炉には、ガスタービン圧縮機の圧縮過程の最後まで圧縮された空気が導かれる。これにより、ガス化炉内に導く空気を再圧縮する機器を別途設ける必要がない。そのため、機器の数を減らすことができる。したがって、ガス化複合発電プラントの設置コストを低減することができ、かつ、ガス化複合発電プラントの運転に対する信頼性を高めることができる。
【００１１】
また、ガス化炉には、ガスタービン圧縮機の圧縮過程の最後まで圧縮された圧力の高い空気が直接導かれる。そのため、昇圧機が不要であり、空気の温度を下げる必要がなく、熱損失が少ない。したがって、ガス化複合発電プラントのプラント効率の改善を図ることができる。
【００１２】
また、ガスタービン圧縮機の圧縮過程の最後まで圧縮された空気をガス化炉へ、また圧縮過程の途中まで圧縮された空気をガスタービン燃焼器に導くこととした。そのため、ガスタービン燃焼器において燃焼に必要な空気の圧力と、ガス化炉において必要な空気の圧力とを、一つのガスタービン圧縮機によって同時に発生させることができる。したがって、機器数が減り、ガス化複合発電プラントの設置コストを低減することができる。
【００１３】
さらに、本発明に係るガス化複合発電プラントによれば、前記ガスタービン圧縮機によって途中まで圧縮された空気と燃料ガスが燃焼して発生した燃焼ガスが導かれるパワータービンと、該パワータービンに接続されるパワータービン用回転軸と、該パワータービン用回転軸に接続されて該パワータービン用回転軸が駆動されることによって発電するパワータービン用発電機と、を備え、前記パワータービンには、前記ガスタービン圧縮機が吐出する空気の余剰分が導かれることを特徴とする。
【００１４】
ガスタービン圧縮機から吐出される空気の余剰分を、パワータービンへと供給することとした。そのため、パワータービンに接続されているパワータービン用発電機を駆動して発電することができる。したがって、ガスタービン圧縮機の空気が余剰しても、そのエネルギーを無駄なく回収でき、ガス化複合発電プラントの発電効率を向上することができる。
【発明の効果】
【００１５】
ガスタービン燃焼器には、ガスタービン圧縮機の圧縮過程の中間位置から一部抽気した空気を導くこととした。残りの空気は、ガスタービン圧縮機の残りの高圧段によって再圧縮される。そのため、ガスタービン圧縮機の最終段から導出される空気の吐出圧力を、ガスタービン燃焼器の圧力よりも高くすることができる。そのため、外部に設置した昇圧機等により再度昇圧することなくガス化炉へ供給しても、十分高圧の燃料ガスを発生することができ、圧力損失により圧力が減じてもなお、ガスタービン燃焼器に導入することが可能となる。
【図面の簡単な説明】
【００１６】
【図１】本発明の第１実施形態に係るガスタービンを備えたガス化複合発電プラントの概略構成図である。
【図２】本発明の第２実施形態に係るガスタービンを備えたガス化複合発電プラントの概略構成図である。
【発明を実施するための形態】
【００１７】
［第１実施形態］
図１には、本発明の第１実施形態に係るガスタービンを備えたガス化複合発電プラントの概略構成図が示されている。
図１に示されているように、石炭を燃料とする石炭ガス化複合発電プラント（ガス化複合発電プラント）１は、主として、石炭供給設備２と、石炭供給設備２から供給された微粉炭（石炭）をガス化する石炭ガス化炉（ガス化炉）３と、石炭ガス化炉３によってガス化された生成ガスを精製するガス精製装置５と、ガス精製装置５によって精製された生成ガス（以下「燃料ガス」という。）を燃焼して駆動されるガスタービン４と、ガスタービン４から排出される排ガス（燃焼ガス）の熱を利用して発生した蒸気が導かれる蒸気タービン７と、ガスタービン４および蒸気タービン７によって駆動されるガスタービン用発電機８とを備えている。
【００１８】
石炭供給設備２は、石炭ガス化炉３の上流側に設けられており、石炭ガス化炉３へと微粉炭を供給する。石炭供給設備２は、原料炭を微粉砕する微粉炭機９と、微粉炭を貯蔵する微粉炭ビン１０および微粉炭供給ホッパ１１とを備えている。
【００１９】
微粉炭機９へと導かれた原料炭は、数μｍ〜数百μｍの微粉炭に粉砕される。微粉炭機９が粉砕した微粉炭は、微粉炭を一時貯蔵する微粉炭ビン１０を経て、微粉炭を加圧供給する微粉炭供給ホッパ１１へと導かれる。
【００２０】
微粉炭供給ホッパ１１内の微粉炭は、空気から窒素と酸素とを分離する空気分離装置（図示せず）によって分離された窒素ガスによって一定流量ずつ石炭ガス化炉３へと搬送される。ここで、窒素ガスは、微粉炭を石炭ガス化炉３へと搬送する搬送ガスとして用いられる。
【００２１】
石炭ガス化炉３は、下方から上方へとガスが流されるように形成された石炭ガス化部３ａと、石炭ガス化部３ａの下流側に接続されて上方から下方へとガスが流されるように形成された熱交換部３ｂとを備えている。
【００２２】
石炭ガス化部３ａには、下方から、コンバスタ（図示せず）及びリダクタ（図示せず）が設けられている。コンバスタは、微粉炭及びチャーの一部分を燃焼させ、残りは熱分解により揮発分（一酸化炭素，水素，低級炭化水素）として放出させる部分である。コンバスタには、噴流床が採用されている。しかし、流動床式や固定床式であっても構わない。
【００２３】
コンバスタ及びリダクタには、それぞれ、コンバスタバーナー（図示せず）及びリダクタバーナー（図示せず）が設けられている。これらのバーナーに対して微粉炭供給ホッパ１１から微粉炭が供給される。
コンバスタバーナーには、後述するガスタービン４のガスタービン圧縮機４ｃによって圧縮された空気が供給されるようになっている。ここで、ガスタービン圧縮機４ｃから供給される圧縮空気は、ガス化剤として用いられる。
【００２４】
リダクタでは、コンバスタからの高温ガスによって微粉炭がガス化される。これにより、微粉炭から一酸化炭素や水素等の可燃性の生成ガスが生成される。石炭ガス化反応は、微粉炭及びチャー中の炭素が高温ガス中の二酸化炭素及び水分と反応して一酸化炭素や水素を生成する吸熱反応である。
【００２５】
石炭ガス化炉３のリダクタにおいて生成された生成ガスは、ポーラスフィルタ１２へと導かれる。ポーラスフィルタ１２は、生成ガスが通過することによって生成ガス中に混在するチャーを捕捉する。ポーラスフィルタ１２によって捕捉されたチャーは、チャーを貯蔵するチャービン（図示せず）を経て、チャーを一時的に蓄えるチャー供給ホッパ（図示せず）へと導かれる。チャー供給ホッパに回収されたチャーは、空気分離装置によって分離された窒素ガスによって加圧されると共に石炭ガス化炉３のコンバスタバーナーへと返送されてリサイクルされる。
【００２６】
ポーラスフィルタ１２を通過した生成ガスには、硫化水素や硫化カルボニルといった硫黄化合物が含まれている。そのため、生成ガスは、ガス精製装置５へ導かれる。ガス精製装置５は、硫化カルボニル変換器（図示せず）と、硫化水素吸収塔（図示せず）と、硫化水素燃焼炉（図示せず）とを備えている。
【００２７】
硫化カルボニル変換器は、導かれた生成ガス中の硫化カルボニルを触媒反応によって硫化水素へと変換する。硫化カルボニル変換器によって変換された硫化水素を含む生成ガスは、硫化水素吸収塔へと導かれる。硫化水素吸収塔に導かれた生成ガス中の硫化水素は、ジアチルエタノールアミン（ＭＥＤＡ）系の吸収液によって硫黄分が吸収される。ジアチルエタノールアミン系の吸収液に吸収されて硫黄分が除去された生成ガスは、燃料ガスとなって硫化水素吸収塔から導出される。
一方、ジアチルエタノールアミン系の吸収液に吸収された硫黄分は、硫化水素燃焼炉に導かれて燃焼されて石膏として回収される。
【００２８】
硫化水素吸収塔から導出された燃料ガスは、ガス精製装置５からガスタービン４へと導かれる。ガスタービン４に導かれた燃料ガスは、ガスタービン燃焼器４ａへと送られる。ガスタービン４は、ガスタービン燃焼器４ａと、ガスタービン燃焼器４ａから排出される排ガスによって駆動されるタービン４ｂと、ガスタービン燃焼器４ａへと高圧な空気を送り出すガスタービン圧縮機４ｃとを備えている。
【００２９】
ガスタービン燃焼器４ａでは、導かれた燃料ガスと、後述する圧縮空気とが燃焼される。燃料ガスと圧縮空気とが燃焼されることによってガスタービン燃焼器４ａからは、排ガスが排出される。ガスタービン燃焼器４ａから排出された排ガスは、タービン４ｂへと導かれる。タービン４ｂに導かれた排ガスは、タービン４ｂを回転駆動する。タービン４ｂが排ガスによって駆動されることによって、タービン４ｂに接続されている回転軸４ｄが回転駆動される。
【００３０】
回転軸４ｄが回転駆動されることによって、回転軸４ｄ上に設けられているガスタービン圧縮機４ｃが回転駆動して空気を圧縮する。ガスタービン圧縮機４ｃ内を通過中の空気は、その圧縮過程の中間位置から一部が抽気される。抽気された空気（以下「抽気圧縮空気」という。）の量は、例えば、ガスタービン圧縮機４ｃに導かれる全空気量の８０％である。抽気圧縮空気は、ガスタービン燃焼器４ａに燃焼用空気として供給される。
【００３１】
ガスタービン圧縮機４ｃから抽気されなかった残空気は、残りのガスタービン圧縮機４ｃ内を通過して圧縮過程の最後まで圧縮される。ガスタービン圧縮機４ｃの圧縮過程の最後まで圧縮された空気（以下「最終圧縮空気」という。）は、高い圧力を有してガスタービン圧縮機４ｃから導出される。ガスタービン圧縮機４ｃから導出された最終圧縮空気は、全てが石炭ガス化炉３へと導かれる。
【００３２】
ガスタービン圧縮機４ｃおよびタービン４ｂが設けられている回転軸４ｄ端には、ガスタービン用発電機８が接続されている。そのため、タービン４ｂの回転駆動に伴い回転軸４ｄが回転することによって、ガスタービン用発電機８が駆動して電気を発生する。
【００３３】
タービン４ｂを回転駆動させた排ガスは、排熱回収ボイラ（図示せず）へと導かれる。排熱回収ボイラは、タービン４ｂから導かれた排ガスの熱によって蒸気を発生するものである。排熱回収ボイラにおいて熱を与えた排ガスは、煙突（図示せず）から石炭ガス化複合発電プラント１外へと排出される。
【００３４】
排熱回収ボイラにおいてタービン４ｂから導かれた高温の排ガスによって発生された蒸気は、蒸気タービン７へと供給される。蒸気タービン７は、ガスタービン４と同回転軸４ｄに接続されており、いわゆる一軸式のコンバインドシステムとなっている。なお、一軸式のコンバインドシステムに限らず、別軸式のコンバインドシステムであっても構わない。
【００３５】
タービン４ｂによって回転駆動されている回転軸４ｄは、蒸気タービン７によって駆動力が増加する。そのため、回転軸４ｄが接続されているガスタービン用発電機８の発電量が増加する。
蒸気タービン７を回転駆動した蒸気は、復水器（図示せず）へと導かれる。蒸気タービン７を回転駆動した蒸気は、復水器によって冷却されて水に戻される。復水器によって戻された水は、排熱回収ボイラへと導かれる。
【００３６】
次に本実施形態に係るガスタービンと圧縮空気の流れとについて説明する。
ガスタービン４は、ガスタービン燃焼器４ａと、ガスタービン燃焼器４ａによって燃焼された排ガスによって駆動されるタービン４ｂと、タービン４ｂが駆動されることによって空気を圧縮するガスタービン圧縮機４ｃとを備えている。
【００３７】
ガスタービン燃焼器４ａでは、導かれた燃料ガスと、ガスタービン圧縮機４ｃの途中で抽出された抽気圧縮空気とが燃焼して高温の排ガスが発生する。タービン４ｂは、ガスタービン燃焼器４ａから排出された排ガスによって回転駆動される。タービン４ｂには、回転軸４ｄが接続されている。また、回転軸４ｄ上には、ガスタービン圧縮機４ｃが設けられている。
【００３８】
タービン４ｂが排ガスによって回転駆動されることによって、回転軸４ｄが回転駆動される。回転軸４ｄが回転駆動されることによって、回転軸４ｄ上に設けられているガスタービン圧縮機４ｃが回転駆動する。
【００３９】
ガスタービン圧縮機４ｃは、回転駆動することによって空気を圧縮する。ガスタービン圧縮機４ｃでは、ガスタービン圧縮機４ｃの圧縮過程の中間位置においてガスタービン圧縮機４ｃを通過する空気の一部が抽気される。抽気圧縮空気の量は、例えば、ガスタービン圧縮機４ｃに導かれる全空気量の８０％である。抽気された抽気圧縮空気は、ガスタービン燃焼器４ａへと導かれる。
【００４０】
ガスタービン圧縮機４ｃにおいて抽気されなかった残空気は、ガスタービン圧縮機４ｃの圧縮過程の最後まで圧縮される。ガスタービン圧縮機４ｃから吐出される最終圧縮空気は、高い圧力でガスタービン圧縮機４ｃから導出される。ガスタービン圧縮機４ｃから導出された高圧の最終圧縮空気は、石炭ガス化炉３へと導かれる。
【００４１】
以上の通り、本実施形態に係るガスタービンおよびこれを備えたガス化複合発電プラントによれば、以下の作用効果を奏する。
ガスタービン燃焼器４ａには、ガスタービン圧縮機４ｃの圧縮過程の中間位置から一部抽気した空気であり抽気圧縮空気を導くこととした。残りの空気は、ガスタービン圧縮機４ｃの残りの高圧段によって再圧縮される。そのため、ガスタービン圧縮機４ｃの最終段から導出される最終圧縮空気（空気）の吐出圧力を、ガスタービン燃焼器４ｃの圧力よりも高くすることができる。そのため、外部に設置した昇圧機等により再度昇圧することなく石炭ガス化炉（ガス化炉）３へ供給しても、十分高圧の燃料ガスを発生することができ、圧力損失により圧力が減じてもなお、ガスタービン燃焼器４ａに導入することが可能となる。
【００４２】
石炭ガス化炉３には、ガスタービン圧縮機４ｃの圧縮過程の最後まで圧縮された空気である最終圧縮空気がそのまま導かれる。これにより、石炭ガス化炉３内に導く空気を再圧縮する機器を別途設ける必要がない。そのため、機器の数を減らすことができる。したがって、石炭ガス化発電複合プラント１の設置コストを低減することができ、かつ、石炭ガス化発電複合プラント（ガス化複合発電プラント）１の運転に対する信頼性を高めることができる。
【００４３】
また、石炭ガス化炉３には、最終圧縮空気（ガスタービン圧縮機４ｃの圧縮過程の最後まで圧縮された空気）が直接導かれる。そのため、昇圧機が不要であり、空気の温度を下げる必要がなく、熱損失が少ない。したがって、石炭ガス化複合発電プラント１のプラント効率の改善を図ることができる。
【００４４】
また、最終圧縮空気を石炭ガス化炉３へ、また、抽気圧縮空気（圧縮過程の途中まで圧縮された空気をガスタービン燃焼器４ａに導くこととした。そのため、ガスタービン燃焼器４ａにおいて燃焼に必要な空気の圧力と、石炭ガス化炉３において必要な空気の圧力とを、一つのガスタービン圧縮機４ｃによって同時に発生させることができる。したがって、機器数が減り、石炭ガス化複合発電プラント１の設置コストを低減することができる。
【００４５】
［第２実施形態］
以下、本発明の第２実施形態について説明する。本実施形態のガスタービンを備えるガス化複合発電プラントは、ガスタービン圧縮機とガス化炉との間にパワータービンおよびパワータービン用発電機を設ける点で第１実施形態と相違し、その他は同様である。したがって、同一の構成、流れについては、同一の符号を付してその説明を省略する。
【００４６】
図２には、本発明の第２実施形態に係るガスタービンを備えたガス化複合発電プラントの概略構成図が示されている。
石炭ガス化炉（ガス化炉）３に導かれる最終圧縮空気の一部は、パワータービン１５へと導かれる。パワータービン１５には、パワータービン用回転軸１７が接続されている。パワータービン用回転軸１７の反対端には、パワータービン用発電機１６が接続されている。
【００４７】
ガスタービン圧縮機４ｃから石炭ガス化炉３へと導かれる最終圧縮空気は、ガスタービン圧縮機４ｃと石炭ガス化炉３との間に設けられている流量計１８によって流量が計測される。流量計１８によって計測された最終圧縮空気の流量がガス化炉の所要流量よりも大きい場合には、ガスタービン圧縮機４ｃとパワータービン１５との間に設けられている制御弁２１が開状態となる。
【００４８】
制御弁２１が開状態となることによって、最終圧縮空気の一部がパワータービン１５へと導かれる。最終圧縮空気が導かれたパワータービン１５は、最終圧縮空気によって回転駆動される。パワータービン１５が回転駆動されるので、パワータービン１５に接続されているパワータービン用回転軸１７が回転駆動される。パワータービン用回転軸１７が回転駆動されることによって、パワータービン用発電機１６が駆動されて電気を発生する。
【００４９】
以上の通り、本実施形態に係るガスタービンを備えたガス化複合発電プラントによれば、以下の作用効果を奏する。
ガスタービン圧縮機４ｃから吐出される最終圧縮空気（空気）の余剰分を、パワータービン１５へと供給することとした。そのため、パワータービン１５に接続されているパワータービン用発電機１６を駆動して発電することができる。したがって、ガスタービン圧縮機の最終圧縮空気が余剰しても、そのエネルギーを無駄なく回収でき、石炭ガス化複合発電プラント（ガス化複合発電プラント）１の発電効率を向上することができる。
【符号の説明】
【００５０】
１  石炭ガス化複合発電プラント（ガス化複合発電プラント）
３  石炭ガス化炉（ガス化炉）
４  ガスタービン
４ａ  ガスタービン燃焼器
４ｂ  タービン
４ｃ  ガスタービン圧縮機
４ｄ  回転軸
【図１】
2011185240.tif 000003
【図２】
2011185240.tif 000004